【事件の表示】
　特許第３０８３５２３号「親水性変性用単量体」の請求項１〜３、６に係る特許に対する特許異議の申立てについて、次のとおり決定する。
【結　論】
　訂正を認める。
　特許第３０８３５２３号の請求項１〜３、６に係る特許を維持する。
【理　由】
１．手続の経緯
　特許第3083523号の請求項1〜8に係る発明についての出願は、平成元年2月27日の出願（特許法第43条による優先権主張 1988年2月26日、米国(US)）であって、平成12年6月30日にその発明について特許権の設定登録がなされ、その後、その特許について、田嶋順治より特許異議の申立がなされ、取消しの理由が通知され、その指定期間内である平成13年12月3日に訂正請求がなされた後（後日取下げ）、再度取消の理由が通知され、その指定期間内である平成15年6月24日に訂正請求がなされたものである。
　
２．訂正の適否についての判断
(1)訂正の内容
　特許権者が求めている訂正の内容は以下のとおりである。
　1)訂正事項a
　特許請求の範囲の請求項１における
「divは、一方の側において、カルボニルオキシにより末端化されている、炭素原子2〜6個を有するアルキレンであって、
ca)カルボニルは、Xに結合し、かつ-NH(CO)O-により一度中断されている炭素原子2〜6個を有するアルキレン、または
cb)他方の側において-NH(CO)-により末端化され、このアミドカルボニルはHyに結合している炭素原子2〜6個を有するアルキレン、
および
Xに結合している末端カルボニルを有する2価の-(CO)O-脂肪族-OC(O)O-アリール-NHC(O)O-脂肪族基から選択され、ここでアリール基は、非置換またはハロゲン若しくはC1-4で置換されているフェニルまたはナフチルであり、そして脂肪族基のそれぞれは、炭素原子10までのアルキルであり、
zは、1〜Hyの原子価までの整数であり、そしてzは、Hyの原子価より小さい場合には、Hyの残りの原子価は、水素と結合しており、
Hyは、
式(XII)＜式省略＞(式中、dは、1〜3である)のモノアミド基(そのそれぞれは、非置換または低級アルキルで置換されているが、但しXが、H2C=C(CH3)-であり、divが、-(CO)O-CH2CH2NH(CO)-であるときには、Hyは、2-オキシピペリジン-1-イルである)；」を
「divは、一方の側において、カルボニルオキシにより末端化されている、炭素原子2〜6個を有するアルキレンであって、
ca)カルボニルは、Xに結合し、かつ-NH(CO)O-により一度中断されている炭素原子2〜6個を有するアルキレン、または
cb)他方の側において-NH(CO)-により末端化され、このアミドカルボニルはHyに結合している炭素原子2〜6個を有するアルキレン、
および
Xに結合している末端カルボニルを有する2価の-(CO)O-脂肪族-OC(O)NH-アリール-NHC(O)O-脂肪族基（ここでアリール基は、非置換またはハロゲン若しくはC1-4アルキルで置換されているフェニルまたはナフチルであり、そして脂肪族基のそれぞれは、炭素原子10までのアルキルである）から選択され、
zは、1〜Hyの原子価までの整数であり、そしてzは、Hyの原子価より小さい場合には、Hyの残りの原子価は、水素と結合しており、
Hyは、
式(XII)＜式省略＞(式中、dは、1〜3である)のモノアミド基(そのそれぞれは、非置換または低級アルキルで置換されているが、但しXが、H2C=C(CH3)-であり、divが、-(CO)O-CH2CH2NH(CO)-であるときには、Hyは、2-オキソピペリジン-1-イルである)；」と訂正する。
　
　2)訂正事項ｂ
特許請求の範囲の請求項３における「但しXが、H2C=C(CH3)-であり、divが、-(CO)O-CH2CH2NH(CO)-であるときには、Hyは、2-オキシピペリジン-1-イルである)；」を
「但しXが、H2C=C(CH3)-であり、divが、-(CO)O-CH2CH2NH(CO)-であるときには、Hyは、2-オキソピペリジン-1-イルである)；」と訂正し、
「請求項1記載の化合物」を「請求項１記載の式(I)の化合物」に訂正する。
　
　3)訂正事項c
　請求項5〜7における「請求項１」を「請求項３」に訂正する。
　
　4)訂正事項d
　請求項６における「アリル」（２箇所）を「アリール」に訂正する。
　
　5)訂正事項ｅ
　明細書41頁7行（特許公報9頁左欄34〜36行の式）の
　「-NH(C=O)O-」を「-NHC=O-」に訂正する。
　
　6)訂正事項ｆ
　明細書42頁8〜9行（特許公報第9頁右欄12行）の
　「ルキル部分」を「アルキル部分」に訂正する。
　
(2)訂正の目的の適否、新規事項の有無及び拡張、変更の存非
　1)訂正事項ａにおいて、「オキシピペリジン」が「オキソピペリジン」の誤記であることは式(XII)から明らかであるから、かかる訂正は誤記の訂正を目的とするものである。
　また、他の訂正事項は明りょうでない記載の釈明を目的とする訂正である。
　
　2)訂正事項ｂのうち、「オキシピペリジン」を「オキソピペリジン」と訂正することは上記のとおり誤記の訂正を目的とする訂正であり、また、「請求項1記載の化合物」を「請求項１記載の式(I)の化合物」に訂正することは、請求項3が請求項１の化合物について更に限定事項を加えた従属項ではなく、請求項１記載の式(I)におけるHyについて請求項１とは別の定義を行った請求項であることを明らかにしようとするものであるから、明りょうでない記載の釈明を目的とする訂正である。
　
　3)訂正事項ｃは、「モルホリン」は請求項１における式IのHyに含まれず、請求項３のHyに含まれるものであるから、誤記の訂正を目的とする訂正である。
　
　4)訂正事項dは、アリル（allyl）基は2-プロペニル基を意味し、アリール（aryl）基はフェニル基等芳香族基を意味する用語であって、請求項6における「フェニルまたはC1-4のアルキルで置換されたフェニル」はアリルではないから、誤記の訂正を目的とする訂正である。
　
　5)訂正事項eは、それに続く記載が「（カルボニルはHyに結合しており．．．．）」となっていることからみて、「-NH(C=O)O-」が誤記であることは明らかであるから、誤記の訂正を目的とする訂正である。
　
　6)訂正事項fは、アルキルの
ア
　
　そして、上記訂正事項はいずれも特許明細書の範囲内であって、新規事項を追加するものではなく、また特許請求の範囲を拡張し、又は変更するものではない。
　
(3)結び
　したがって、上記訂正は特許法第120条の4第2項、及び同条第3項で準用する平成6年法律第116号による改正前の特許法第126条第1項ただし書き、同条第2項及び第3項の規定に適合するので、当該訂正を認める。
　
３．異議申立についての判断
(1)異議申立の概要
　特許異議申立人田嶋順治は、甲第1号証〜甲第5号証を提出し、
　1)請求項１及び２に係る発明は、甲第１号証及び第２号証に記載された発明であるから、特許法第29条第1項第3号の規定に該当し、請求項１及び２に係る発明の特許は、拒絶査定されるべき発明に対してされたものであり（理由1）、また
　2)甲第3号証〜甲第5号証の記載からみて、請求項1、3、6に不明瞭な記載があるため、請求項1、3、6に係る発明の特許は、特許法第36条第3項及び第4項に規定する要件を満たしていない出願に対してされたものである（理由2）から、
これらの請求項に係る発明の特許は取り消されるべきものであると主張している。
　
(2)本件発明
　上記のとおり、訂正請求が認められるから、本件請求項に係る発明は、訂正請求書に添付された訂正明細書の特許請求の範囲の各請求項に記載されたとおりである。
　
(3)対比判断
　1)理由1について
　甲第1号証及び甲第2号証に記載された化合物は、本件請求項1の式(I)において、
ＸがH2C=C(CH3)-、divが-(C=O)O-CH2CH2NH(C=O)-、Hyが2-オキソピロリジン及び2-オキソヘキサヒドロアゼピンに相当する化合物である。
　一方、本件請求項1の式(I)において、
ＸがH2C=C(CH3)-、divが-(C=O)O-CH2CH2NH(C=O)-の時はHyは2-オキソピペリジンであって、上記２つの化合物とは異なる化合物であるから、本件請求項１に係る発明は、甲第１号証及び甲第２号証に記載された発明ではない。
　
　請求項2に係る発明は、請求項１の発明において、Ｘを1-メチルビニル、2-メチルビニルまたはアリルに限定したものであって、上記同様の理由から甲第１号証及び甲第２号証に記載された発明ではない。
　
　2)理由2について
　上記のとおり本件特許請求の範囲が訂正されたため、特許異議申立人の主張する請求項1、3、6についての記載不備はいずれも解消している。
　
４．むすび
　以上のとおりであるから、本件特許異議申立人の主張する理由及び提出された証拠によっては本件請求項1〜3、6に係る発明の特許を取り消すことはできない。
　また、他に本件請求項1〜3、6に係る発明の特許を取り消すべき理由を発見しない。
　よって、結論のとおり決定する。
【異議決定日】
平成１５年７月２５日（２００３．７．２５）
【訂正の要旨】
審決（決定）の【理由】欄参照。
（５４）【発明の名称】
親水性変性用単量体
（５７）【特許請求の範囲】
１．式Ｉの化合物。
　　（Ｘ−ｄｉｖ）ｚＨｙ　　　　（Ｉ）
　上記式において、
　Ｘは、ビニル、１−低級アルキルビニル、２−低級アルキルビニル、１，２−ジ（低級アルキル）ビニルおよびビニル−低級アルキルから選択される、重合し得るエチレン性不飽和基であって、
　ｄｉｖは、一方の側において、カルボニルオキシにより末端化されている、炭素原子２〜６個を有するアルキレンであって、
ｃａ）そのカルボニルは、Ｘに結合し、かつ−ＮＨ（ＣＯ）Ｏ−により一度中断されている炭素原子２〜６個を有するアルキレン、または
ｃｂ）他方の側において−ＮＨ（ＣＯ）−により末端化され、このアミドカルボニルがＨｙに結合している炭素原子２〜６個を有するアルキレン、および
　Ｘに結合している末端カルボニルを有する２価の−（ＣＯ）Ｏ−脂肪族−ＯＣ（Ｏ）ＮＨ−アリール−ＮＨＣ（Ｏ）Ｏ−脂肪族基（ここでアリール基は、非置換またはハロゲン若しくはＣ１−４アルキルで置換されているフェニルまたはナフチルであり、そして脂肪族基のそれぞれは、炭素原子１０までのアルキルである）
　から選択され、
　ｚは、１〜Ｈｙの原子価までの整数であり、そしてｚは、Ｈｙの原子価より小さい場合には、Ｈｙの残りの原子価は、水素と結合しており、
　Ｈｙは、式（ＸＩＩ）
（式中、ｄは、１〜３である）のモノアミド基（そのそれぞれは、非置換または低級アルキルで置換されているが、但し、Ｘが、Ｈ２Ｃ＝Ｃ（ＣＨ３）−であり、ｄｉｖが、−（ＣＯ）Ｏ−ＣＨ２ＣＨ２ＮＨ（ＣＯ）−であるときには、Ｈｙは、２−オキソピペリジン−１−イルである）；式ＩＩＩ
（式中、Ｒａは、２または３個の炭素原子のアルキレンまたはアルケニレンである）の５〜６個の環員を有する飽和または不飽和の環式基、式ＩＶ
（式中、ｑおよびｒは、それぞれ独立して、０〜２である）の６〜７個の環員を有する環式アミド基、式Ｖ
（式中、Ｒａは、２または３個の炭素のアルキレンまたはアルケニレンである）の環式アミノ基（そのそれぞれは、非置換またはヒドロキシ−Ｃ１−５アルキル、カルボキシまたは低級アルキルにより置換されている）、式ＸＶａ
（式中、Ｒ１０は、水素またはカルボキシである）の２価基、および１価のヒドロキシル基で置換されている下記式：
の基から選択される親水性基である。
２．Ｘが、１−メチルビニル、２−メチルビニルまたはアリルである、請求項１記載の化合物。
３．Ｈｙが、
　ｂａ）非置換または低級アルキルによりモノ−〜テトラ−置換であるモルホリノ；
　ｂｂ）式ＸＩＩ
（式中、ｄは、１〜３である）のモノアミド基（そのそれぞれは、非置換または低級アルキルで置換されているが、但しＸが、Ｈ２Ｃ＝Ｃ（ＣＨ３）−であり、ｄｉｖが、−（ＣＯ）Ｏ−ＣＨ２ＣＨ２ＮＨ（ＣＯ）−であるときには、Ｈｙは、２−オキソピペリジン−１−イルである）；
　ｂｃ）式ＸＩＩＩ
（式中、ｅは、２〜３である）の基（そのそれぞれは、非置換または低級アルキルで置換されている）；
　ｂｄ）式ＸＩＶ、ＸＶ、ＸＶａ、ＸＶＩ、ＸＶＩＩａもしくはＸＶＩＩｂ
（式中、Ｒ１０は、水素またはカルボキシである）の２価基；
　ｂｅ）下記式の基；
　ｂｆ）下記式
（式中、ｆは、１または２である）の基（そのそれぞれは、非置換または低級アルキルで置換されている）；および
　ｂｇ）下記式の基
から選択される、請求項１記載の式Ｉの化合物。
４．ｄｉｖが、下記式（ここで、それぞれの場合に、左の結合はＸに結合している）
から選択される、請求項１記載の化合物。
５．Ｈｙが、ピロリド−５−オン−１−イルまたはモルホリン−１−イルである、請求項３記載の化合物。
６．Ｘが、ビニルまたは１−メチルビニルであり、ｚが、１であり；ｄｉｖが、−Ｃ（Ｏ）Ｏ−Ｃ２−６−アルキル−（これは、アルキル部分で−ＮＨＣ（Ｏ）Ｏ−により一度中断されており、末端カルボニル基は、Ｘに結合している）；−Ｃ（Ｏ）Ｏ−Ｃ２−６−アルキル−ＮＨＣＯ−（これは、オキシカルボニル部分の末端カルボニルは、Ｘに結合している）；および−Ｃ（Ｏ）Ｏ−Ｃ２−６−アルキル−（これは、アルキル部分でＯＣＯＮＨ−アリール−ＮＨＣＯＯ−で一度中断されており、その末端カルボニル基はＸに結合しており：ここでアリールは、フェニルまたはＣ１−４アルキルで置換されているフェニルである）から選択され、そしてＨｙは、ピロリドン−５−オン−１−イルまたはモルホリン−１−イルである、請求項３記載の化合物。
７．式ＸＩＸ、ＸＸ、およびＸＸＩＶの化合物
から選択される、請求項３記載の化合物。
８．請求項１の式Ｉの化合物を重合または共重合させて、ホモポリマーまたはコポリマーを製造する方法。
【発明の詳細な説明】
　本発明は、親水性単量体、および、オリゴマー特にコンタクトレンズの製造に使用されるオリゴマーを変性して、得られる重合体の親水性を増大しそして成型された重合体の製造における成形相溶性を増大するために該単量体を使用することに関するものである。
　当該技術において、親水性単量体に関する文献は数多く存在しそして非常に多くのこのような単量体が商業的に入手できる。これらの単量体は、このような単量体が存在しない同じ物質以上に共重合される物質に親水性、水吸収を付与しそして（または）共重合される物質の湿潤性を改善する。これらは、また、高度に親水性、高度に吸収性そして高度に湿潤性の単独重合体物質を与える。これらの
から得ることができる。
　このような既知の変性剤の一般的特性は、親水性基および共重合性基が存在するということである。典型的な例は、Ｎ−ビニルピロリドンであり、他の例はヒドロキシエチルメタクリレートである。これらのそれぞれは、１個またはそれ以上の遊離（メト）アクリルまたはビニル基を含有する他の単量体またはオリゴマーと共重合するのに適している。遊離ヒドロキシまたはアミドの添加は、このような単量体が存在しない重合体以上に得られた重合体の親水性、水吸収性および湿潤性を増大する。
　多くの利用に対して、それから得られる重合体物質が成形された形態にあることが望ましい。これは、コンタクトレンズの分野において典型的である。また、しばしば、成形物はポリ（メタクリル酸メチル）でありそして（ａ）前述した変性単量体と（ｂ）このような成形物中の変性される単量体またはオリゴマーとの共重合は成形物のエッチングおよび傷あとを生ずる。これは、表面損傷のない表面即ち高品質の光学的表面を必要とする最終的な重合体の利用に対して、非常に大きな不利点である。これらの状況下において、非常にしばしば高度な生産費および緩慢な生産速度を必要とする成形物を置換しなければならない。
　それ故に、本発明の一つの目的は、前述した欠点を取り除きそして実質的に親水性的に変性された物質の製造における成形エッチングの量を減少する親水性単量体を提供せんとするものである。
　本発明の他の目的は、親水性的に変性された重合体を提供せんとするものである。
　本発明の他の目的は、増大された湿潤性および（または）水吸収を有するコンタクトレンズを提供せんとするものである。
　更に、本発明の他の目的は、親水性変性剤である単量体によって変性された表面を有するコンタクトレンズを提供せんとするものである。
　これらのおよび他の目的は、式Ｉ
　　（Ｘ−ｄｉｖ）２Ｈｙ　　　　（Ｉ）
（式中、Ｈｙは親水性部分であり、ｄｉｖは２価の結合基であり、Ｘは他の単量体と共反応または共重合できる基であり、そしてｚは１乃至Ｈｙの原子価までの整数であり、そしてｚがＨｙの原子価より小さい場合は、Ｈｙの残りの原子価は水素と結合する）の親水性変性剤である単量体を利用することによって実現することができる。
　親水性基Ｈｙは、典型的には、１個またはそれ以上好適には多数の遊離のまたはエーテル化されたヒドロキシ基、アミノ基、アミド基、ウレタン基、および（または）他の典型的に親水性の基を有している。
　ｄｉｖは、一般に広範囲な種々の２価の基から選択できる２価の結合基である。ｄｉｖに対する唯一の一般的な限定は、それがＨｙおよびＸの両方に結合することができるということである。
　Ｘは、
（ａ）エチレン系の不飽和基、好適には、ビニル、１−または２−低級アルキルビニル、より好適には１−メチルビニルまたは２−メチルビニルまたはアリルから選択された重合性または反応性部分である。
　ｄｉｖは、
（ａａ）脂肪族基が、
（式中Ｒは、水素または低級アルキル例えばＣ１〜４アルキルである）から選択された中断および（または）末端基によって中断または停止または中断および停止していてもよい２５個までの炭素原子の２価の脂肪族基、好適には、好適には２０個までの炭素原子、より好適には１５個までの炭素原子、更により好適には１０個までの炭素原子、そしてもっとも好適には５個までの炭素原子を含有し、そして好適には少なくとも２個の炭素原子、より好適には少なくとも４個の炭素原子を含有するアルキル、アルケニルまたはアルキニル、
（ａｂ）非環式部分が好適にはアルキル、アルケニルまたはアルキニルであり、そして好適には１５個までの炭素原子、より好適には１０個までの炭素原子、もっとも好適には５個までの炭素原子を含有し、そして好適には少なくとも２個の炭素原子、より好適には少なくとも４個の炭素原子を有しており、そして非環式部分が上記（ａａ）に記載したものから選択された中断および（または）末端基によって中断または停止または中断および停止していてもよい２価の５〜７員の脂環式環および２価の（５〜７員の脂環式）−Ｃ１〜２０脂肪族基、
（ａｃ）停止していないかまたは上記（ａａ）に記載したものから選択された末端基によって停止している６〜２５個の炭素原子、好適には６〜１８個の炭素原子、より好適には６〜１０個の炭素原子、もっとも好適には６個の炭素原子を有する２価のアリーレン基、
（ａｄ）それぞれの脂肪族部分が独立して上記（ａａ）に記載した同じ脂肪族基から選択されたものであり、そして上記（ａａ）に示したように中断または停止または中断および停止していてもよい８〜２５個の炭素原子の２価の（脂肪族）ａ−アリール−（脂肪族）ｂ−基（式中ａおよびｂの一方は１であり、そして他方は０であるかまたはａおよびｂの両方が１である）
（ａｅ）式ＩＩ
（式中、ｍは８〜１００であり、そして（ａｅａ）Ｒａは水素であり、Ｒｂはメチルであり、
そしてｎおよびｐはそれぞれ０であるか、（ａｅｂ）Ｒａはメチルであり、Ｒｂは水素であり、
そしてｎおよびｐはそれぞれ０であるかまたは（ａｅｃ）ＲａおよびＲｂはそれぞれ水素であり、
そしてｎおよびｐはそれぞれ１である）の基
から選択されたものであり、そして（ａａ）〜（ａｂ）のそれぞれの基は、置換されていないかまたはハロゲン、Ｃ１〜４アルキルおよびパーハロＣ１〜１２アルキルから選択された少なくとも１個の置換分によって置換されており、そして
　Ｈｙは、
（ｉ）モルホリノ、炭素および１個の窒素から選択された５〜７個の環員の環式モノアミド基、式ＩＩＩ
（式中、Ｒａは２または３個の炭素のアルキレンまたはアルケニレンである）の５〜６個の環員を有する飽和または不飽和の環式基、式ＩＶ
（式中、ｑおよびｒはそれぞれ独立して０〜２である）の６〜７個の環員を有する環式アミドおよび式Ｖ
（式中、Ｒａは２または３個の炭素のアルキレンまたはアルケニレンである）の環式アミン［それぞれが置換されていないかまたはヒドロキシ−Ｃ１〜５アルキル、カルボキシまたは低級アルキルによって置換されている］
から選択された親水性基である。
　好適には、Ｘは式ＶＩ
から選択されたビニル基であり、そしてそれに結合しているｄｉｖの部分は−Ｃ（Ｏ）Ｒ３（このカルボニル基はＸに結合している）または
（左側の結合はＸに結合している）で停止している。Ｒ１およびＲ２が水素またはメチルである場合においては、Ｒ３は−Ｏ−または−ＮＲ５−から選択され（但し、それが結合しているｄｉｖの次の原子は酸素または窒素以外のものである）またはＲ３は単一結合であり（但し、それが結合しているｄｉｖの次の原子はカルボニル炭素以外のものである）、そしてＲ５は水素または低級アルキルであるか、または、
　Ｒ１が水素またはメチルであり、そしてＲ２が水素、低級アルキルまたはシアノである場合は、Ｒ３は低級アルキレンまたは
であり、そして
　それぞれの場合において、Ｒ４は−Ｏ−，−Ｃ（Ｏ）−，−ＯＣ（Ｏ）−，−Ｃ（Ｏ）Ｏ−，−ＮＲ５Ｃ（Ｏ）−，−ＯＣ（Ｏ）Ｏ−，−ＮＲ５−，−ＮＲ５Ｃ（Ｏ）Ｏ−，−Ｃ（Ｏ）ＮＲ５−，−ＯＣ（Ｏ）ＮＲ５−または−ＮＲ５Ｃ（Ｏ）ＮＲ５−である（但し、それが結合しているｄｉｖの次の原子は酸素または窒素以外のものである）。
　更に、好適なＸ基は、１−メチルビニル、２−メチルビニルまたはアリル、または
［式中、Ｒ２は水素またはメチルであり、そしてそれが結合しているｄｉｖの部分は−Ｃ（Ｏ）−Ｒ３−（式中、カルボニルはＸに結合しており、そしてＲ３は−Ｏ−または−ＮＲ５−であり、そしてＲ５は水素または低級アルキルである）で停止している］、またはＨ２Ｃ＝ＣＨ−［それが結合しているｄｉｖの部分は
（式中、左側の結合はＸに結合しており、そしてＲ４は−Ｏ−，−ＮＲ５−，−Ｃ（Ｏ）−，−Ｃ（Ｏ）ＮＲ５−または−Ｃ（Ｏ）Ｏ−である）で停止している］、または
［式中、Ｒ２は水素、低級アルキルまたはシアノであり、そしてそれが結合しているｄｉｖの部分は−Ｃ（Ｏ）−Ｒ３−（式中、カルボニルはＸに結合しており、そしてＲ３は低級アルキレンまたは
であり、そしてＲ５は低級アルキルである）で停止している］である。
　好適には、Ｈｙは、
（ｂａ）置換されていないかまたは低級アルキル好適にはメチルまたはエチルによってモノ乃至テトラ置換されているモルホリノ、
（ｂｂ）置換されていないかまたは低級アルキル好適にはメチルまたはエチルによって置換好適にはモノまたはジ置換されている式ＸＩＩ
（式中、ｄは１〜３好適には１である）のアミド、
（ｂｃ）置換されていないかまたは低級アルキル好適にはメチルまたはエチルによって置換されている式ＸＩＩＩ
（式中、ｅは２〜３好適には２である）の基、
（ｂｄ）式ＸＩＶ、ＸＶ、ＸＶａ、ＸＶＩ、ＸＶＩＩａまたはＸＶＩＩｂ
（式中、Ｒ１０は水素またはカルボキシである）の１種の２価の基、
（ｂｅ）
（ｂｆ）置換されていないかまたは低級アルキル好適にはメチルまたはエチルによって置換されている
（式中、ｆは１または２である）
（ｂｇ）
から選択される。
　好適には、ｄｉｖは、
　　−Ｖ−（ＣＨ２）２ＮＨＣＯＯ−（ＣＨ２）２−
　　−Ｖ−（ＣＨ２）２ＮＨＣＯ−及び
　　−Ｖ−（ＣＨ２）２ＮＨＣＯ（ＣＨ２）２−
（式中、Ｖは単一結合、または−Ｃ（Ｏ）Ｒ３−
から選択されたものであり、それぞれの場合においてＶの左側の結合はＸに結合しており、そしてＲ３は−Ｏ−、−ＮＲ５−または
または単一結合であり、Ｒ５は水素または低級アルキルである）
から選択される。
　更に、好適には、Ｘは、エチレン系不飽和基、即ちビニル、１−低級アルキルビニル、２−低級アルキルビニル、１，２−ジ（低級アルキル）ビニルまたはビニル−低級アルキル、もっとも好適にはビニル、１−メチルビニルまたはアリルである。
　Ｈｙは、もっとも好適にはピロリド−５−オン−１−イル、モルホリン−１−イルである。
　ｄｉｖは、もっとも好適には、（ｃａ）一方の側においてはカルボニルオキシ（カルボニルはＸに結合しており、そして
によって一度中断されている）によって停止し、または（ｃｂ）他の側においては
（カルボニルはＨｙに結合しており、そして好適にはカルボニルはＨｙの酸素原子に結合している）によって停止している２〜６の炭素のアルキルである。ｄｉｖのアルキルは、もっとも好適には２または４個の炭素原子のアルキルである。
　第２のもっとも好適なｄｉｖは、末端カルボニル基がＸに結合している２価の−Ｃ（Ｏ）Ｏ−脂肪族−ＯＣ（Ｏ）ＮＨ−アリール−ＮＨＣ（Ｏ）Ｏ−脂肪族基である。このような基においては、アリールは好ましくは置換されていないかまたはハロゲンまたはＣ１〜４アルキルによって置換されたもっとも好適にはメチルによって置換されたフェニルまたはナフチルである。このような基においては、脂肪族基のそれぞれは、好適には１０個までの炭素原子より好適には５個までの炭素原子のアルキルである。もっとも好適には、このような脂肪族基は、−ＣＨ２−ＣＨ２−である。
　もっとも好適なものは、Ｘがビニルまたは１−メチルビニルであり、ｚが１であり、ｄｉｖがアルキル部分において一度−ＮＨＣ（Ｏ）Ｏ−によって中断されている−Ｃ（Ｏ）Ｏ−Ｃ２〜６−アルキル−（式中、末端カルボニル基はＸに結合しており、そして直接上述した同じ基は１〜９のオキシアルキレン基によってアルキル側において停止している）、−Ｃ（Ｏ）Ｏ−Ｃ２〜６−アルキル−ＮＨＣＯ−（式中、オキシカルボニル部分の末端カルボニル基はＸに結合している）、およびアルキル部分において−ＯＣＯＮＨ−アリール−ＮＨＣＯＯ−によって一度中断されている−Ｃ（Ｏ）Ｏ−Ｃ２〜６−アルキル−（式中、末端カルボニル基はＸに結合しており、そしてアリールはフェニルまたはＣ１〜４アルキル好適にはメチルによって置換されたフェニルである）であり、そしてＨｙがピロリジン−５−オン−１−イル、モルホリン−１−イルである式Ｉの単量体である。
　本発明のもっとも高度に好適な単量体は、次の式ＸＩＸ、ＸＸまたはＸＸＩＶを有するものおよび実施例に説明した化合物である。
　これらの単量体の中で、式ＸＩＸ、ＸＸおよびＸＸＩＶの単量体が特に好適である。
　本発明の親水性変性剤である単量体は、個々の工程が当該技術において知られている多くの方法で製造することができる。出発物質はすべて当業者によく知られており、そして殆んどのものが商業的に入手することができる。
　出発物質の一組は、Ｘ−Ｅ、Ｗ−Ｌ−ＹおよびＧＨｙ（ＥはＷと共反応性であり、そしてＹはＧと共反応性である）である。ＥとＷおよびＹとＧの反応が完了した場合、基−ＥＷ−Ｌ−ＹＧ−は−ｄｉｖである。基−Ｌ−は、何れの置換分または中断基または末端基も有していない簡単な脂肪族炭化水素鎖であることができる。このようにする代りに、それは、多数の中断および（または）末端基ならびに置換分を有する複合体基であってもよい。
　例えば、トルエンジイソシアネートは、簡単なＷ−Ｌ−Ｙ化合物を示すことができる。その１モルとＮ−ヒドロキシエチルピロリドン（Ｇ−Ｈｙ化合物）１モルとの反応は、式
の化合物を与える。
　次に、これを２−ヒドロキシエチルメタクリレート（Ｘ−Ｅ化合物）１モルと反応させて式ＸＸの化合物を得る。より複雑な同様な構造は、トルエンジイソシアネート１モルをエチレングリコール２モルと反応させて式
の化合物を得ることによって製造することができる。
　最終の所望の化合物によって、この化合物１モルを（ａ）Ｎ−（２−イソシアネートエチル）ピロリドンのようなイソシアネート−Ｈｙ型化合物１モルと反応させ、そして次にイソシアネートメタクリレート１モルと反応させて本発明の化合物を得るかまたは（ｂ）ジイソシアネート化合物２モルと反応させ次にこれをＮ−（２−ヒドロキシエチル）ピロリドンおよび２−ヒドロキシエチルメタクリレート（ＨＥＭＡ）と反応させて４個の中断基および１個の末端基を有する以外は式ＸＸの化合物と同様な化合物を得ることができる。
　勿論、はじめにＸ−Ｅ化合物およびＷ−Ｌ−Ｙ化合物を反応させ、そして次にＧ−Ｈｙ化合物を得られた化合物を反応させるように、反応順序を逆にすることができる。勿論、ＧがＥまたはＸと反応せず、そしてＥがＧまたはＨｙと反応しない場合は、すべての３種の成分を同時に一緒に添加することができる。
　同様に、式ＸＩＸの化合物は、イソシアネートエチルメタクリレート（ＩＥＭ）および２−ヒドロキシエチルピロリドンから製造することができる。
　当業者が理解することができるように、上記ビニル基（ＩＥＭの一部）を適当なＸ基で置換することによって、何れかの所望のＸ−末端化合物が得られる。同様に、Ｎ−（２−ヒドロキシエチル）−ピロリドンをＮ−（２−ヒドロキシエチル）モルホリンで置換することによって、式ＸＸＩＶに示された生成物が得られる。本発明の残りの単量体への合成経路は、当該技術に精通せし者の知識の範囲にある。
　前述した説明を基にして、本発明を説明するために、以下の実施例を示す。しかしながら、これらの実施例は、本発明を限定するものではない。
　実施例１
　凝縮器、窒素導入口および温度計を具備したきれいな乾燥した１００ｍｌの丸底フラスコに、イソシアナトエチルメタクリレート１５．５３ｇ（０．１０モル）、ジブチル錫ジラウレート０．０２ｇおよび塩化メチレン５０ｍｌを加える。混合物を、窒素雰囲気下で撹拌して溶解させる。この溶液に、ヒドロキシエチルピロリドン１２．９３ｇ（０．１０モル）を加える。１．５時間後に、イソシアネート吸収帯は、ＦＴ赤外スペクトルにおいて観察されない。溶剤を、乾燥空気掃過下における撹拌によって除去する。
　実施例２
　実施例１の上記変性剤を、１０重量％または１５重量％の量で、
（ａ）スチレンイソシアネート末端キャップした（ｅｎｄｃａｐｐｅｄ）ポリプロピレングリコール４０００
（ｂ）１９８７年６月５日出願の米国特許第４，７８０，４８８号の式Ｖの単量体または
（ｃ）１９８７年７月２８日出願の米国特許第４，７４０，５３３号の式Ｉの単量体に加えそしてキュアーした。得られた重合体は、すべて、実施例１の化合物が存在しない相当する重合体以上の増加した水分含量を有している。